【事件の表示】
　特許第２９４０５４３号「乗用型苗植機」の請求項１に係る特許に対する特許異議の申立てについて、次のとおり決定する。
【結　論】
　訂正を認める。
　特許第２９４０５４３号の請求項１に係る特許を取り消す。
【理　由】
１．手続きの経緯
　本件特許第２９４０５４３号の請求項１に係る発明は、昭和６０年５月２０日の出願である特願昭６０−１０８８８３号出願の一部を新たな特許出願（特願平６−０７２１２９号）とし、この出願の一部を新たな特許出願（特願平９−０９３９３８号）とし、さらにこの出願の一部を新たな特許出願として出願したものであって、平成１１年６月１８日にその発明についての特許権の設定登録がなされ、その後、その特許について、異議申立人、三菱農機株式会社及び山本進よりそれぞれ特許異議の申立てがなされ、取消理由を通知したところ、平成１２年１０月２日に訂正請求がなされ、さらに平成１３年９月１８日付けで取消理由を通知したところ、平成１３年１１月２８日に意見書が提出されたものである。
　
２．訂正請求について
２-1．訂正の内容
　特許権者が求めている訂正の内容は、特許明細書を上訂正明細書のとおりに訂正しようとするものである。すなわち、
（１）特許請求の範囲の「二つの移植具１４ａ・１４ｂが共に整地フロ−ト１６・１７・１７の下面より上位となる停止位置で停止し、」を、「二つの移植具１４ａ・１４ｂのうち一方の移植具１４ａ或いは１４ｂが苗を移植した直後の停止位置で停止し、」と訂正する。
（２）段落【０００６】の「二つの移植具１４ａ・１４ｂが共に整地フロ−ト１６・１７・１７の下面より上位となる停止位置で停止し、」を、「二つの移植具１４ａ・１４ｂのうち一方の移植具１４ａ或いは１４ｂが苗を移植した直後の停止位置で停止し、」と訂正する。
（３）段落【０００７】の「二つの移植具１４ａ・１４ｂが共に整地フロ−ト１６・１７・１７の下面より上位となる停止位置で停止し、」を、「二つの移植具１４ａ・１４ｂのうち一方の移植具１４ａ或いは１４ｂが苗を移植した直後の停止位置で停止し、」と訂正する。
（４）段落【０００８】の「二つの移植具１４ａ・１４ｂが共に整地フロ−ト１６・１７・１７の下面より上位となる停止位置で停止し、」を、「二つの移植具１４ａ・１４ｂのうち一方の移植具１４ａ或いは１４ｂが苗を移植した直後の停止位置で停止し、」と訂正する。
２-2．訂正の適否
　上記（１）の訂正は、特許請求の範囲の記載において、「二つの移植具１４ａ・１４ｂのうち一方の移植具１４ａ或いは１４ｂが苗を移植した直後の停止位置で停止し、」の構成を付加して限定するものであるから、特許請求の範囲の減縮を目的とするものに該当する。
　また、（２）ないし（４）の訂正は、発明の詳細な説明の記載を訂正後の特許請求の範囲の記載と整合させるためのものであるから、明りょうでない記載の釈明を目的とするものに該当する。
　そして、特許請求の範囲の記載を訂正する、上記（１）の構成は特許明細書の３頁２６〜２７行及び４頁３〜１２行に記載されているので、上記（１）ないし（４）の訂正は、願書に添付した明細書又は図面に記載した事項の範囲内においてするものであって新規事項を追加するものでなく、かつ、実質上特許請求の範囲を拡張し、又は変更するものではない。
２-3．むすび
　以上のとおりであるから、上記訂正は特許法等の一部を改正する法律（平成６年法律第１１６号）附則第６条第１項の規定によりなお従前の例によるとされる、平成１１年改正前の特許法第１２０条の４第３項において準用する平成６年法律第１１６号による改正前の特許法第１２６条第１項ただし書、第２項及び第３項の規定に適合するので、当該訂正を認める。
　
３．特許異議の申立てについて
３-1．異議申立て理由の概要
（１）異議申立人三菱農機株式会社は、下記の証拠方法を提出し、本件発明は、甲第１及び２号証に記載された発明に基いて当業者が容易に発明をすることができたものであり、特許法第２９条第２項の規定により特許を受けることができないものであり、また、本件特許出願の日前の他の特許出願であって本件特許出願後に出願公開された甲第３号証に係る出願の願書に最初に添付した明細書又は図面に記載された発明と同一であり、特許法第２９条の２の規定の規定により特許を受けることができないものであるから、その特許は特許法第１１３条第１項第２号の規定により取り消されるべきである旨主張する。
　　　　　　　　　　　　　　　記
　甲第１号証：特開昭６０−４１４０２号公報
　甲第１号証の２：実開昭５６−１０７２１５号公報
　甲第１号証の３：実開昭５７−２０３７１８号公報
　甲第２号証：特公昭５５−３２３２５号公報
　甲第２号証の２：実公昭５１−１３３８６号公報
　甲第２号証の３：特開昭５２−６５０１５号公報
　甲第３号証：特開昭６０−２４４２１６号公報（特願昭５９−１０１４７６号）
（２）異議申立人山本進は、下記の証拠方法を提出し、本件発明は、甲第１号証に記載された発明及び周知技術（甲第２号証の１ないし４，甲第３号証の１ないし４）に基いて当業者が容易に発明をすることができたものであり、特許法第２９条第２項の規定に違反して特許されたものであるから、その特許は特許法第１１３条第２号の規定により取り消されるべきである旨主張する。
　　　　　　　　　　　　　　　記
　甲第１号証：特公昭５５−３２３２５号公報
　甲第２号証：実願昭５４−１５８０７９号（実開昭５６−７５８１２号）のマイクロフイルム
　甲第２号証の２：実願昭５４−１６３８６８号（実開昭５６−８００１８号）のマイクロフイルム
　甲第２号証の３：実開昭５６−９６９２１号公報
　甲第２号証の４：実開昭５６−１０７２１５号公報
　甲第３号証：特開昭６０−６６９０７号公報
　甲第３号証の２：特開昭６０−６６９０８号公報
　甲第３号証の３：特開昭６０−６６９０９号公報
　甲第３号証の４：特公昭４９−１７８０６号公報
　甲第４号証：実開昭５７−８６５２１号公報
　甲第４号証の２：実開昭５７−１１９６３６号公報
３-2．本件発明
　上記２．で示したように上記訂正が認められるから、本件の発明の要旨（以下、「本件発明」という）は、訂正後の特許明細書及び図面の記載からみてその特許請求の範囲に記載したとおりの、
　「乗用車体１の後部に移植装置１１を昇降可能に装着した乗用型苗植機において、一つの操作具２３の操作により移植具１４ａ・１４ｂの回転が停止するとともに移植装置１１が上昇する構成とし、移植装置１１を各条二つの移植具１４ａ・１４ｂを備えて該移植具１４ａ・１４ｂの一回転で二回苗が圃場に移植される構成とし、該移植具１４ａ・１４ｂを停止させた時は、二つの移植具１４ａ・１４ｂが共に整地フロート１６・１７・１７の下面より上位となる停止位置であって、二つの移植具１４ａ・１４ｂのうち一方の移植具１４ａ或いは１４ｂが苗を移植した直後の停止位置で停止し、且つ、移植具１４ａ・１４ｂの一回転中二箇所に設けた停止位置で停止する構成としたことを特徴とする乗用型苗植機。」
にあると認める。
３-3．当審の判断
３-3-1．同日出願発明
　平成１３年９月１８日付けの取消理由で引用した、本件発明と同日に出願された特許第２９４７２６５号（特願平１０−１０６１６０号）発明の要旨（以下、「同日出願発明」という）は、特許明細書及び図面の記載からみて、特許請求の範囲に記載されたとおりの、
　「駆動回転される回転ケース１５に装着した二つの移植具１４ａ・１４ｂが移植軌跡を描いて運動して苗載置台１３から苗を交互に取って圃場に移植する構成とした苗植機において、前記二つの移植具１４ａ・１４ｂを機体後端付近に配置し、該二つの移植具１４ａ・１４ｂを停止させた時は、後方側の移植具が前方側の移植具より低くなる位置で停止し、且つ、前方側の移植具が少なくとも苗載置台１３から苗を分割する直前の位置までは移動して停止し、且つ、後方側の移植具が苗を圃場に移植した後で且つ整地フロート１６，１７，１７の下面より上位となる位置までは移動して停止する構成としたことを特徴とする苗植機。」にあると認められる。
３-3-2．対比・判断
　本件発明と同日出願発明とを対比すると、
　本件発明が「乗用車体１の後部に移植装置１１を昇降可能に装着した乗用型苗植機において、一つの操作具２３の操作により移植具１４ａ・１４ｂの回転が停止するとともに移植装置１１が上昇する構成とし」ているのに対し、同日出願発明は前記構成を必須構成要件としていない点で構成が一応相違するのみで、その余の構成は、表現上の相違であって差異があるとはいえない。
　上記相違点について検討するに、乗用車体の後部に移植装置を昇降可能に装着した乗用型苗植機において、一つの操作具の操作により移植具への動力伝達を停止させるとともに移植装置を上昇せるように構成することは周知の技術である（例えば、実願５５−１４６２２４昭号（実開昭５７−６７５１７号）のマイクロフイルム、実願昭５６−１７４４３９号（実開昭５８−７８０１５号）のマイクロフイルム参照）から、本件発明が「乗用車体１の後部に移植装置１１を昇降可能に装着した乗用型苗植機において、一つの操作具２３の操作により移植具１４ａ・１４ｂの回転が停止するとともに移植装置１１が上昇する構成とし」た点は周知技術の単なる付加に過ぎない。
　この点について、特許権者は、上記構成を「移植装置１１を各条二つの移植具１４ａ・１４ｂを備えて該移植具１４ａ・１４ｂの一回転で二回苗が圃場に移植される構成とした」苗植機に付加したことにより、「操作具２３の操作により停止する二つの移植具１４ａ・１４ｂは、『従来よりも早く停止する』ことになって、これにより、移植具を停止させて移植装置を上昇させるという旋回時の操作が良好に行われる」という相乗効果がある旨主張するが、移植具１４ａ・１４ｂが、「従来よりも早く停止する」のは、移植装置１１が二つの移植具１４ａ・１４ｂを備えて一回転で二回苗を圃場に移植する構成のもの、いわゆる、ロータリ式の移植装置が半回転毎に停止できることによるものであり、これを相乗効果とはいえないから、前記主張は採用できない。
　したがって、本件発明と同日出願発明とは実質的に同一であり、そして、一の出願に定めるための協議をすることができないから、本件発明は、特許法第３９条第２項の規定により特許を受けることができないものである。
３-4．むすび
　以上のとおりであり、本件発明についての特許は拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年１２月１２日（２００１．１２．１２）
【訂正の要旨】
訂正の要旨
　特許第２９４０５４３号発明の明細書を本件訂正請求書に添付した訂正明細書のとおりに、すなわち、特許請求の範囲の減縮を目的として下記（ａ）のとおりに訂正し、明りょうでない記載の釈明を目的として（ｂ）ないし（ｄ）のとおりに訂正する。
（ａ）特許請求の範囲の「二つの移植具１４ａ・１４ｂが共に整地フロ−ト１６・１７・１７の下面より上位となる停止位置で停止し、」を、「二つの移植具１４ａ・１４ｂのうち一方の移植具１４ａ或いは１４ｂが苗を移植した直後の停止位置で停止し、」と訂正する。
（ｂ）段落【０００６】の「二つの移植具１４ａ・１４ｂが共に整地フロ−ト１６・１７・１７の下面より上位となる停止位置で停止し、」を、「二つの移植具１４ａ・１４ｂのうち一方の移植具１４ａ或いは１４ｂが苗を移植した直後の停止位置で停止し、」と訂正する。
（ｃ）段落【０００７】の「二つの移植具１４ａ・１４ｂが共に整地フロ−ト１６・１７・１７の下面より上位となる停止位置で停止し、」を、「二つの移植具１４ａ・１４ｂのうち一方の移植具１４ａ或いは１４ｂが苗を移植した直後の停止位置で停止し、」と訂正する。
（ｄ）段落【０００８】の「二つの移植具１４ａ・１４ｂが共に整地フロ−ト１６・１７・１７の下面より上位となる停止位置で停止し、」を、「二つの移植具１４ａ・１４ｂのうち一方の移植具１４ａ或いは１４ｂが苗を移植した直後の停止位置で停止し、」と訂正する。
（５４）【発明の名称】
乗用型苗植機
（５７）【特許請求の範囲】
１．乗用車体１の後部に移植装置１１を昇降可能に装着した乗用型苗植機において、一つの操作具２３の操作により移植具１４ａ・１４ｂの回転が停止するとともに移植装置１１が上昇する構成とし、移植装置１１を各条二つの移植具１４ａ・１４ｂを備えて該移植具１４ａ・１４ｂの一回転で二回苗が圃場に移植される構成とし、該移植具１４ａ・１４ｂを停止させた時は、二つの移植具１４ａ・１４ｂが共に整地フロ−ト１６・１７・１７の下面より上位となる停止位置で
あって、二つの移植具１４ａ・１４ｂのうち一方の移植具１４ａ或は１４ｂが苗を移植した直後の停止位置で
【発明の詳細な説明】
　【０００１】
　【発明の属する技術分野】
　この発明は、乗用車体の後部に移植装置を昇降可能に装着した乗用型苗植機に関するものである。
　【０００２】
　【従来の技術】
　乗用型苗植機にあって畦際で旋回するときは、予め、移植装置の移植作動を停止させ、また移植装置を上昇させて、機体を旋回させるので、操作が煩雑となる。そこで、従来は、一つの操作具の操作により移植装置の移植作動が停止するとともに移植装置が上昇するよう構成して、機体を旋回させ前の操作が迅速且つ容易に行えるようにしたものがあった。
　【０００３】
　また、苗植機においては、移植装置の移植作動を停止する停止操作するタイミングによって、苗を圃場に移植する移植具の停止位置が変ってしまうと、移植具が機体の下方に突出して停止することもあり、よって、移植具が損傷を受けやすくなってしまう。そこで、従来は、移植具の停止操作するタイミングに関わらず、移植具が上位に位置する状態になってから停止するように構成し、停止した移植具が損傷を受けにくいようにしたものがあった。
　【０００４】
　【発明が解決しようとする課題】
　すると、旋回時の操作性を向上させるため、上記のように、一つの操作具の操作により移植装置の移植作動が停止するとともに移植装置が上昇する構成とし、そして、停止した移植具が損傷を受けないようにするため、上記のように、移植具が上位に位置する状態になってから停止するように構成すると、操作具を操作して移植装置の移植作動を停止するようにしても、移植具はすぐには停止しないことがあるから、例えば、設定した停止位置を越えた直後で停止操作された場合は移植具は再びその停止位置まで略一回転して停止することになるから、移植装置が上昇しはじめてもまだ移植具がある程度作動してしまい、空中で苗がばら撒かれてしまうことがある。
　【０００５】
　そこで、この発明は、乗用型苗植機にあって、旋回時の操作性を向上させるため、一つの操作具の操作により移植装置の移植作動が停止するとともに移植装置が上昇する構成とし、また、停止した移植具が損傷を受けないようにするため、移植具が上位に位置する状態になってから停止するように構成しながらも、移植具ができるだけ早く停止して空中で苗がばら撒かれることが起こりにくいようにすることを課題とする。
　【０００６】
　【課題を解決するための手段】
　この発明は、上記課題を解決するために、乗用車体１の後部に移植装置１１を昇降可能に装着した乗用型苗植機において、一つの操作具２３の操作により移植具１４ａ・１４ｂの回転が停止するとともに移植装置１１が上昇する構成とし、移植装置１１を各条二つの移植具１４ａ・１４ｂを備えて該移植具１４ａ・１４ｂの一回転で二回苗が圃場に移植される構成とし、該移植具１４ａ・１４ｂを停止させた時は、二つの移植具１４ａ・１４ｂが共に整地フロ−ト１６・１７・１７の下面より上位となる停止位置で
あって、二つの移植具１４ａ・１４ｂのうち一方の移植具１４ａ或は１４ｂが苗を移植した直後の停止位置で
　【０００７】
　【作用】
　上記構成の乗用型苗植機は、移植作業時には、各条二つの移植具１４ａ・１４ｂが回転して交互に苗を圃場に移植していく。そして、畦際で旋回する時などには、一つの操作具２３を操作することで、移植具１４ａ・１４ｂの回転が停止するとともに移植装置１１が上昇する。このとき、移植具１４ａ・１４ｂは、二つの移植具１４ａ・１４ｂが共に整地フロ−ト１６・１７・１７の下面より上位となる停止位置で
あって、二つの移植具１４ａ・１４ｂのうち一方の移植具１４ａ或は１４ｂが苗を移植した直後の停止位置で
　【０００８】
　【発明の効果】
　この発明は、乗用型苗植機にあって、移植装置１１を各条二つの移植具１４ａ・１４ｂを備えて該移植具１４ａ・１４ｂの一回転で二回苗が圃場に移植される構成としているから、高速で移植作業が行える。そして、一つの操作具２３の操作により移植具１４ａ・１４ｂの回転が停止するとともに移植装置１１が上昇する構成として、旋回時の操作性が良いものでありながら、移植具１４ａ・１４ｂを停止させた時は、二つの移植具１４ａ・１４ｂが共に整地フロ−ト１６・１７・１７の下面より上位となる停止位置で
あって、二つの移植具１４ａ・１４ｂのうち一方の移植具１４ａ或は１４ｂが苗を移植した直後の停止位置で
　【０００９】
　【発明の実施の形態】
　この発明の一実施例の乗用型苗植機を図面に基づいて詳細に説明する。１は乗用車体で、操向用の前輪２・２と後輪３・３とを有した車体４の前側上部に操縦枠５を突出させて、これに操縦ハンドル６を支架させ、この操縦ハンドル６の後方車体上にエンジン７をカバ−８で囲んで取付け、その上部に操縦座席９を設けている。１０は後輪３・３の伝動支持ケ−スである。
　【００１０】
　１１は移植装置で、車体４の後部に装着され、前部に位置する主伝動ケ−ス１２ａ部とこの主伝動ケ−ス１２ａ部から所定の左右間隔を配して後方へ廷設される３個の副伝動ケ−ス１２ｂ部とからなる移植伝動ケ−ス１２の上部に、前方が上位となるようにして傾斜した苗載置台１３を左右往復動するよう支架し、各副伝動ケ−ス１２ｂの後端に移植具１４ａ・１４ｂが装着された回転ケ−ス１５を軸架し、更に、移植伝動ケ−ス１２の下側部に中央整地フロ−ト１６と左右の側部整地フロ−ト１７・１７を前部が上下動するように装着したものである。
　【００１１】
　１８は昇降リンク機構で、上部リンク杆１８ａと下部リンク杆１８ｂの基部側を前記車体４に枢着し、両リンクの後端を縦リンク１８ｃで枢結し、この縦リンク１８ｃに前記移植伝動ケ−ス１２を支軸１９を介してロ−リング自由に連結し、上部リンク１８ａは油圧シリンダ−装置２０によって昇降可能に設けている。２１は油圧切替バルブで、主伝動ケ−ス１２ａに一体の突起枠２２と中央整地フロ−ト１６との間に介装されるように取付けられ、該フロ−ト１６の上下動で切替えられて前記油圧シリンダ−装置２０を作動し、自動的に中央整地フロ−ト１６の接地圧が移植に適当な範囲になるよう構成されている。また、この油圧切替バルブ２１は前記操縦座席９の側部に装着した昇降操作レバ−２３で任意に切替えできて移植装置１１が昇降操作できるよう設けている。
　【００１２】
　２４は停止クラッチで、前記主伝動ケ−ス１２ａ内の各副伝動ケ−ス１２ｂ側伝動部へ動力を分岐して伝達する伝動軸２５に装着されている。そして、この停止クラッチ２４は、伝動軸２５に回転自由に遊着されて伝動回転されるクラッチ爪２６ａ付きのクラッチ駆動ギヤ−２６に、伝動軸２５にばね２７で附勢されて移動可能で、かつ、伝動軸２５に楔着されて一体的に回転するクラッチ爪２８ａ付きのクラッチ体２８をクラッチ爪２６ａと２８ａとが係脱可能なように装着し、このクラッチ体２８の回転外周面に、クラッチピン２９が接当するときばね２７に抗してクラッチ体２８が伝動軸２５上を移動してクラッチ爪２６ａと２８ａとが外れるようにするクラッチカム体３０を前記回転ケ−ス１５に装着される移植具１４ａ・１４ｂの数、即ち、２個だけ設けている。
　【００１３】
　そして、この複数位置定位置停止型の停止クラッチ２４が働いて伝動軸２５が１回転中２個所で「切」になるとき、常に回転ケ−ス１５の移植具１４ａ・１４ｂが整地フロ−ト１６・１７・１７の下面よりも上位で停止されるように設定している。更に、一方側の移植具１４ａ或は１４ｂが苗載置台１３側から苗を分割する直前にあり、他方側の移植具１４ｂ或は１４ａが苗を移植した直後の整地フロ−ト下面より上位で停止するように設定すると、尚一層適切となる。即ち、図１の側面図には、一方側の移植具１４ａが苗載置台１３側から苗を分割した後で、他方側の移植具１４ｂが苗を移植した後で、二つの移植具１４ａ・１４ｂが略同じ高さまで回転した状態が示されているが、上記のように設定されて停止する移植具１４ａ，１４ｂは、図１にあらわれる移植具１４ａ・１４ｂの位置まで回転しないうちに停止することになり、従って、二つの移植具１４ａ・１４ｂは後方側の移植具が前方側の移植具より低くなる位置で停止する。このような移植具１４ａ，１４ｂの停止位置を図示するとすれば、例えば、図４のようになる。
　【００１４】
　そして、前記クラッチピン２９は前記昇降操作レバ−２３にワイヤ−３１によって連動されていて、移植装置１１を上昇する側へ油圧切替バルブ２１を切替えるときワイヤ−３１が緩んでばねでピン２９が下動しカム体３０のテ−パ側面に接当してクラッチ２４が「切」になるよう連動されている。尚、３２は油圧切替バルブ２１と操作レバ−２３とを連動するワイヤ−である。
　【００１５】
　また、第４図の油圧回路中の記号、３３は油圧ポンプ、３４はタンク、３５はリリ−フバルブである。次に、上例の作用を説明する。各苗載置台１３…に苗を載置収容して、乗用車体１を走行させながら、移植装置１１の中央及び側部の整地フロ−ト１６・１７・１７を水田の土壌表面に接地させ、各部を伝動回転すると、伝動軸２５が回転し、クラッチ体２８クラッチ駆動ギヤ−２６の各クラッチ爪２８ａ・２６ａを係合させたクラッチ２４を「入」状態にしておくと、分岐された副伝動ケ−ス１２ｂ…の各伝動機構を介して回転ケ−ス１５…が伝動回転され、これに取付けられている二つの各移植具１４ａ・１４ｂが移植軌跡を描いて運動し、その二つの各移植具１４ａ・１４ｂが交互に左右に往復動する苗載置台１３…から苗を一株分づつ分割して下部の整地フロ−ト１６・１７・１７で整地される土壌面へ移植される。よって、振動が少なく高速で苗が植付けられていく。
　【００１６】
　このような移植作業中、畦畔が近づいて旋回するとき、昇降操作レバ−２３を操作して油圧切替バルブ２１を切替えて移植装置１１を上昇する。このとき、ワイヤ−３１が弛緩され、クラッチピン２９がばねで下動される。すると、回転中のクラッチ体２８のカム体３０に該ピン２９が接当し、クラッチ体２８がばね２７に抗して押寄せられ、クラッチ駆動ギヤ−２６のクラッチ爪２６ａからクラッチ体２８のクラッチ爪２８ａが外れて伝動軸２５が停止される。この場合、クラッチ体２８には２個のカム体３０が設けられているから、伝動軸２５は１回転中２個所で停止がかかることになり、移植装置１１が上昇するとき即時に伝動軸２５が停止し、このため、回転ケ−ス１５・１５がクラッチ停止操作時に半回転で停止する。したがって、移植装置１１が上昇途中で苗を分割してその苗を放出するようなことがなく、苗が土壌面へばら撒かれることがない。
　【００１７】
　次に、旋回を終えて、苗植機１１を下降すると、整地フロ−ト１６・１７・１７が接地してからクラッチピン２９がカム体３０から外れ、ばね２７によってクラッチ体２８が移動しクラッチ２４が「入」となり移植が開始される。よって、上述したものは、乗用型苗植機にあって、移植装置１１を各条二つの移植具１４ａ・１４ｂを備えて該移植具１４ａ・１４ｂの一回転で二回苗が圃場に移植される構成としているから、高速で移植作業が行える。
　【００１８】
　そして、一つの操作具２３の操作により移植具１４ａ・１４ｂの回転が停止するとともに移植装置１１が上昇する構成として、旋回時の操作性が良いものでありながら、移植具１４ａ・１４ｂを停止させた時は、二つの移植具１４ａ・１４ｂが共に整地フロ−ト１６・１７・１７の下面より上位となる停止位置で停止し、且つ、移植具１４ａ・１４ｂの一回転中二箇所に設けた停止位置で停止する構成としたから、前記操作具２３の操作により停止する二つの移植具１４ａ・１４ｂは、共に機体の下方に突出することがなく、且つ、従来よりも早く停止することになり、そのぶん空中で苗がばら撒かれることが起こりにくいものとなる。
【図面の簡単な説明】
　【図１】苗植機の全体側面図。
　【図２】移植装置の平面図。
　【図３】移植装置の作動機構図。
　【図４】作動停止時の移植具の状態の一例を示す側面図。
　【符号の説明】
１：乗用車体
１１：移植装置
１４ａ・１４ｂ：移植具
１６・１７：整地フロ−ト
２３：操作レバ−
２４：クラッチ